(57)【要約】【課題】  自動搬送され読み取られる原稿を積載する原稿積載装置において、装置を大型化することなく読み終えた原稿が原稿排紙台に排紙されると原稿トレイが原稿台および原稿挿入口を覆うように自動的に閉じることで、排紙台から原稿を取り出す操作が容易になると共に、原稿トレイの形状に機能上およびデザイン上の自由度を得ることができ、且つ、原稿搬送路への異物混入を防止することができる原稿積載装置を提供する。【解決手段】  シート状の原稿を載置可能な載置台と、載置台に載置された複数のシート原稿を一枚ずつ分離給送して所定位置まで導く分離搬送手段と、その後、所定位置にシート原稿を搬送させる搬送手段と所定位置からシート原稿を排出させる排紙手段とを有する給紙装置のシート載置装置において、載置台はその一部分が可動可能で載置台の形状を変更できるように構成され、排紙手段の駆動を載置台の可動部に伝達する駆動伝達手段を備える。【選択図】  図１
2007119173.tif 000002
【特許請求の範囲】
【請求項１】
シート状の原稿を載置可能な載置台と、載置台に載置された複数のシート原稿を一枚ずつ分離給送して所定位置まで導く分離搬送手段と、その後、所定位置にシート原稿を搬送させる搬送手段と所定位置からシート原稿を排出させる排紙手段とを有する給紙装置のシート載置装置において、該載置台はその一部分が可動可能で載置台の形状を変更できるように構成され、前記排紙手段の駆動を載置台の可動部に伝達する駆動伝達手段を備えることを特徴とする原稿積載装置。
【請求項２】
前記載置台は載置されたシート原稿の有無を検知する原稿検知手段と前記所定位置を搬送されるシート原稿の前後端部を有無検知する原稿端部検知手段を備えることを特徴とする請求項１の原稿積載装置。
【請求項３】
前記載置台は、シート状原稿を載置する載置面の一部を覆うように閉じた状態から、大きいシート状原稿を載置できるように載置面積を拡大するために開いた状態まで、回転可能に軸支された原稿補助トレイを備えることを特徴とする請求項１、２の原稿積載装置。
【請求項４】
前記載置台の原稿補助トレイは、シート状原稿を載置する載置面全面を覆うように閉じた状態から、載置面を露出させシート状原稿を載置できるように開いた状態まで、回転可能に軸支された原稿補助トレイを備えることを特徴とする請求項１，２の原稿積載装置。
【請求項５】
前記シート載置装置は、前記原稿補助トレイがシート状原稿を載置する載置面全面を覆うように閉じた状態に付勢するばね部材と、前記原稿補助トレイが載置面を露出させシート状原稿を載置できるように開いた状態まで回転させた状態で係止する保持部材を備えることを特徴とする請求項３，４の原稿積載装置。
【請求項６】
前記駆動伝達手段は、前記排紙手段がシート原稿を排紙する方向に回転する場合には排紙手段の回転駆動が滑動することで前記保持部材の係止状態に干渉せず、排紙手段が逆回転する場合に逆回転駆動を伝達することで前記保持部材の係止状態を開放するクラッチ部材を有していることを特徴とする請求項５の原稿積載装置。
【請求項７】
前記駆動伝達手段は、前記排紙手段がシート原稿を排紙する方向に回転する場合には排紙手段の回転駆動の連結を解除し、排紙手段が逆回転する場合に逆回転駆動を連結する振り子部材を有していることを特徴とする請求項５の原稿積載装置。
【発明の詳細な説明】
【技術分野】
【０００１】
本発明はファクシミリ、複写機、スキャナ、プリンタ複合機等で自動搬送され読み取られる原稿を積載するための原稿積載装置に関するものである。
【背景技術】
【０００２】
図４に従来の原稿積載装置をファクシミリの原稿送り装置５０を例にして説明する。
【０００３】
５１はファクシミリ装置本体の上面に形成された載置台としての原稿台、５２は原稿台に積載した原稿、５３は原稿５２の両側端部に当接または近接した位置に配置され、原稿両側端部の位置を規制する原稿ガイド、５４は原稿台５１に取り付けられ原稿５２の載置台の一部を担う原稿補助トレイである。原稿補助トレイ５４は破線で示す様な閉じた状態の初期位置（５４a）から使用時の開いた状態まで回転可能に原稿台５１に軸支されている。５５は原稿台に積載される複数の原稿を一枚ごとに分離し搬送する原稿搬送機構、５６は一枚づつ搬送される原稿の画像を読み取るための読取装置、５７は読み取り終わった原稿を排出し積載するための原稿排紙台である。原稿搬送機構５５は装置の設置省スペース化により原稿排紙台５７が原稿台５１の下部に配置されるようにＵターン状の搬送経路５８を有している。また、原稿台５１および原稿補助トレイ５４は原稿搬送に有利な様に原稿搬送機構５５に向かって下がるように斜面になっているので、クリップやホチキス針等の異物が原稿台５１上に落下した場合、異物が搬送路に入り易くそれら異物が原稿搬送機構５５の機能に障害を与える場合もあった。そのため、原稿送り装置５０の不使用時には異物混入を防止するために、原稿補助トレイ５４を閉じた状態の初期位置で原稿補助トレイ５４が原稿搬送路入り口を被う様な配置構成になっている。
【０００４】
このような原稿送り装置５０において、まず初めに閉じた状態の原稿補助トレイ５４を開き、原稿５２を原稿台５１と原稿補助トレイ５４の上に置き、原稿ガイド５３を原稿の幅に合わせてセットする。次に不図示のコピーボタン等の操作で動作開始されると原稿搬送機構５５により、原稿５２は、一枚づつ分離搬送されＵターン状の搬送路５８を通り読み取り位置５６ａ上の画像が読取装置５６で読み取られながら、順次、原稿排紙台５７に排出される。全ての原稿が原稿排紙台５７に排出されると原稿送り装置は停止するので、原稿補助トレイ５４を閉じて原稿を取り出す。
【０００５】
従来例としては、例えば特許文献１をあげることが出来る。
【特許文献１】特開２００４−１７３１６０号公報
【発明の開示】
【発明が解決しようとする課題】
【０００６】
しかしながら、上記従来の原稿積載装置においては、読み取り終えた原稿５２ａを原稿排紙台５７から取り出す際に原稿補助トレイ５４が邪魔であり原稿補助トレイ５４を閉じる操作が必要であり、操作が煩わしという問題点があった。あるいは、操作を簡略にするように、開いた状態の原稿補助トレイ５４と原稿排紙台５７が干渉しないような配置構成、あるいは、原稿補助トレイ５４を必要としない程度の大きさの原稿台５１にすると装置が大きくなり省スペース化を図れなくなってしまうという問題点があった。もしくは、原稿取り出しの邪魔にならないように原稿補助トレイ５４の使用時の開き角度や形状を変更すると原稿搬送の機能上に影響し原稿搬送機構５５の制約を狭め、さらには、装置デザイン形状の自由度が限定されてしまうという問題点があった。
【０００７】
また、原稿を取り出す時に、原稿補助トレイを干渉しない角度まで少しだけ回転し、原稿取り出し後、開いた状態にしてしまうと、原稿搬送路に異物が混入する可能性があり、原稿搬送機能に障害を与える恐れが生じるという問題点があった。
【０００８】
本発明は、上述した問題点を解決するためになされたものであり、装置を大型化することなく読み終えた原稿が原稿排紙台に排紙されると原稿補助トレイが原稿台および原稿挿入口を覆うように自動的に閉じることで排紙台から原稿を取り出す操作が容易になると共に、原稿補助トレイの形状に機能上およびデザイン上の自由度を得ることができ、且つ、原稿搬送路への異物混入を防止することができる原稿積載装置を提供することを目的としている。
【課題を解決するための手段】
【０００９】
この目的を達成するために請求項１記載の原稿積載装置は、シート状の原稿を載置可能な載置台と、載置台に載置された複数のシート原稿を一枚ずつ分離給送して所定位置まで導く分離搬送手段と、その後、所定位置にシート原稿を搬送させる搬送手段と所定位置からシート原稿を排出させる排紙手段とを有する給紙装置のシート載置装置において、該載置台はその一部分が可動可能で載置台の形状を変更できるように構成され、前記排紙手段の駆動を載置台の可動部に伝達する駆動伝達手段を備えている。
【００１０】
請求項２記載の原稿積載装置は、請求項１記載の原稿積載装置において、前記載置台は載置されたシート原稿の有無を検知する原稿検知手段と前記所定位置を搬送されるシート原稿の前後端部を有無検知する原稿端部検知手段を備えている。
【００１１】
請求項３記載の原稿積載装置は、請求項１および２記載の原稿積載装置において、前記載置台は、シート状原稿を載置する載置面の一部を覆うように閉じた状態から、大きいシート状原稿を載置できるように載置面積を拡大するために開いた状態まで、回転可能に軸支された原稿補助トレイを備えている。
【００１２】
請求項４記載の原稿積載装置は、請求項１および２記載の原稿積載装置において、前記載置台の原稿補助トレイは、シート状原稿を載置する載置面全面を覆うように閉じた状態から、載置面を露出させシート状原稿を載置できるように開いた状態まで、回転可能に軸支された原稿補助トレイを備えている。
【００１３】
請求項５記載の原稿積載装置は、請求項３および４記載の原稿積載装置において、前記原稿補助トレイがシート状原稿を載置する載置面全面を覆うように閉じた状態に付勢するばね部材と、前記補助トレイが載置面を露出させシート状原稿を載置できるように開いた状態まで回転させた状態で係止する保持部材を備えている。
【００１４】
請求項６記載の原稿積載装置は、請求項５記載の原稿積載装置において、前記駆動伝達手段は、前記排紙手段がシート原稿を排紙する方向に回転する場合には排紙手段の回転駆動が滑動することで前記保持部材の係止状態に干渉せず、排紙手段が逆回転する場合に逆回転駆動を伝達することで前記保持部材の係止状態を開放するクラッチ部材を備えている。
【００１５】
請求項７記載の原稿積載装置は、請求項５記載の原稿積載装置において、前記駆動伝達手段は、前記排紙手段がシート原稿を排紙する方向に回転する場合には排紙手段の回転駆動の連結を解除し、排紙手段が逆回転する場合に逆回転駆動を連結する振り子部材を備えている。
【発明の効果】
【００１６】
本発明によれば、全ての原稿が排紙台に排出されると原稿補助トレイが自動的に初期位置に戻るので、原稿を取り出す操作を行う際に原稿補助トレイに干渉することもなく、手動で原稿補助トレイを操作する煩わしさも無くなるため、装置を大きくすることなく装置の操作性を良好にすることが可能となる。また、開いた状態にある原稿補助トレイが原稿排紙台の原稿取り出し操作の邪魔にならないような原稿補助トレイ形状にする必要がなくなり、装置デザイン、および、原稿搬送機構の機能上で自由度を広げることができる。
【００１７】
さらに、必ず原稿補助トレイが初期位置に戻るため、原稿搬送路への異物混入を確実に防止することができる。
【発明を実施するための最良の形態】
【００１８】
以下、添付図面に基づいて、本発明に係る原稿積載装置の実施形態を詳細に説明する。
【００１９】
図１から図３は本発明装置の一実施例を示す図面であり、図１は本発明装置の斜視図、図２は駆動系を示す装置内背面図、図３は正断面図である。１は装置本体の上面に形成された載置台としての原稿台、２は原稿台に積載した原稿、３は原稿２の両側端部に当接または近接した位置に配置され、原稿両側端部の位置を規制する原稿ガイド、４は原稿台１に取り付けられ原稿２の載置台の一部を担う原稿補助トレイである。原稿補助トレイ４は図３で示す未使用時の閉じた状態の初期位置から図１、図２で示す使用時の開いた状態まで約135度回転可能に回動するように回転軸４ａ、４ｂが設けられており、原稿台１に軸支されている。５は原稿台１に積載される複数の原稿を一枚ごとに分離し搬送する原稿分離搬送機構の分離ローラ、６は分離ローラ５の原稿分離搬送を補助する予備搬送ローラ、７は一枚づつ分離搬送される原稿を搬送経路の下流に搬送する原稿搬送機構の搬送ローラ、８は搬送される原稿の画像を読み取るための読取装置、９は読み取り終わった原稿を搬送経路から排出するための原稿排出機構の排紙ローラ、１０は排出された原稿を積載するための原稿排紙台である。前記分離ローラ５、予備搬送ローラ６、搬送ローラ７および排紙ローラは駆動モータＭの回転駆動により駆動される。原稿搬送機構は装置の設置省スペース化により原稿排紙台１０が原稿台１の下部に配置されるようにＵターン状の搬送経路１１を有している。また、原稿台１および原稿補助トレイ４は原稿分離搬送に有利な様に分離ローラ５に向かって低くなるように斜面になっている。その結果、クリップやホチキス針等の異物が原稿台１上に落下した場合、異物が搬送路に入り易い。それら異物が原稿分離搬送機構の機能に障害を与える可能性を防ぐために、装置を使用しない時には原稿補助トレイ４を閉じた状態の初期位置において原稿補助トレイ４が原稿搬送路入り口１２（図３）を被う様な配置構成になっており、装置内部への異物の混入を防止している。
【００２０】
原稿補助トレイ４の回転軸４ａの一方側には、捩りコイルばね１３が取り付けられており、原稿補助トレイ４を初期位置方向に回転付勢する様に弾性力が作用している。この捩りコイルばね１３の弾性力は原稿補助トレイを開く時に反力を及ぼしているが、本実施例では原稿補助トレイ重量100g程度を回転付勢する様に捩りコイルばね１３が設定されているので、後述するラッチ動作力を合わせても200g程度の操作力で開くことができるため、操作性を損なうことはない。
【００２１】
原稿補助トレイ４の回転軸４ａの近くに突起部１４が形成されており、図２で示すように突起部１４は一点鎖線１５で示す円弧上を１４ａから１４ｂまで回動する。ここで突起部１４ａは、原稿補助トレイ４が閉じた状態の初期位置であり、突起部１４ｂは原稿補助トレイ４が使用時の開いた状態の位置である。また、１６はクランクロッドで回転軸１７において装置に回転可能に軸支されている。クランクロッド１６の一方端部１８に引っ張りばね１９が取り付けられており、一方側端部１８が回転止め部２０に当接する方向に引っ張りばね１９の弾性力がクランクロッド１６に作用している。クランクロッド１６の他方側端部の先端は前記ボス１４を係止するために鉤状に形成されたラッチ部２１が形成されている。前記クランクロッド１６は引っ張りばね１９の弾性力で端部１８が回転止め部２０に当接している状態でラッチ部２１が前記回転動作円弧上１５の突起部１４ｂ付近に係るように構成されている。従って、原稿補助トレイ４を図３の初期位置から図２の使用状態まで約１３５度開くと、突起部１４が１４ａで示す位置から１４ｂで示す位置まで回転し、その途中で突起部１４がラッチ部２１の斜面部２１ａに当接し滑ることで、クランクロッド１６を引っ張りばね１９による弾性力に反して回動させ、ラッチ部２１が回避する。突起部１４がラッチ部２１を超えて回転した瞬間クランクロッドは引っ張りばね１９の弾性力によりラッチ部２１が突起部１４を係止する。この状態で原稿補助トレイ４には前記捩りコイルばね１３の弾性力により突起部１４がラッチ部２１を付勢するが、引っ張りばね１９によるクランクロッド１６への回転力を捩りコイルばね１２によるクランクロッドの逆回転力よりも大きくなるようにクランクロッド形状および引っ張りばね力を設定しておくことで、原稿補助トレイ４は開いた状態で保持される。
【００２２】
もし、原稿搬送の途中で原稿搬送ジャム等の原因により操作が中断された場合は原稿トレイが開いた装置状態になってしまうが、クランクロッドが保持されている引っ張りばね１９の動作力を超える手動操作力で原稿トレイを初期位置に戻すことは可能となる。
【００２３】
図１で示すように、２２はラッチ解除機構でクランクロッド１６が配置されている同じ側の装置に配置され、原稿補助トレイの突起部１４を係止している前記ラッチ部２１を解除することで、捩りコイルばね１２と協同し開いた状態で保持されている原稿補助トレイを初期位置に戻す役割を有する。ラッチ解除機構２２は、入力ギア２３、駆動ギア２４、従動ギア２５、駆動ギア２４と従動ギア２５を連結する一方向ばねクラッチ２６、従動ギア２５に滑り負荷を与える負荷ばね２７、中間ギア２８、２９、カムギア３０で構成される。カムギア３０のカム部３１が前記クランクロッド１６の一方側端部１８と干渉し、図２で示すカムギア３０のＡ方向回転によりクランクロッド１６を回転軸１７中心に陽動させる。クランクロッド１６の陽動により突起部１４がラッチ２１から外れ、捩りコイルばね１３の弾性力により、原稿補助トレイ４は初期位置に回動する。
【００２４】
また、図１で示すように、原稿補助トレイ４の回転軸４ａ付近にギア歯面の一部からなるギア部３２が一体的に形成されている。３３は制御ギア、３４は制御ギアの回転負荷を与える圧縮ばねが装置に配置されている。図２で示すように、原稿補助トレイ４が開いた状態ではギア部３２は制御ギア３３の歯面とかみ合っていない状態でギア部３２が形成されており、図３で示すように、原稿補助トレイ４が閉じている状態ではギア部３２が制御ギア３３の歯面とかみ合っているように形成されている。原稿トレイ４が閉じる途中においてギア部３２が制御ギア３３とかみ合い始めるため、ギア部３２の形状および圧縮ばね３４の弾性力を適切に設けることで、原稿トレイ４が閉じる途中で原稿トレイの自重および、捩りコイルばねの弾性力の合力を緩和することができ、原稿トレイ４が閉じる時の衝撃を和らげている。
【００２５】
次に、ラッチ解除機構２２の入力ギア２３への駆動伝達について説明する。
【００２６】
図３で示すように、原稿２が全て排紙ローラ９によって原稿排紙台１０へ排出され終わると、原稿挿入口付近に設けられている原稿有無センサ３５および原稿エッジ検知センサ３６により、原稿台１および搬送路１１に原稿が無いことを検知する。ここで、駆動モータＭを逆回転駆動させて排紙ローラ９をＢ方向に回転させる。すると排紙ローラ９の原稿排出ギア３７のＢ方向回転駆動がラッチ解除機構２２の入力ギア２３に伝達される。図１の一方向ばねクラッチ２６は原稿排出ギア３７の前記回転方向のみ従動ギア２５に回転駆動が伝達される方向のクラッチであるため、図２で示すカムギア３０をＡ方向回転させるように駆動が伝達される。また、装置の振動あるいは上述した原稿補助トレイの手動操作等においてカムギア３０のカム部３１の位相が後述する所定位置から移動した場合においても確実にクランクロッド１６を陽動させるように、原稿排出ギア３７の逆回転量とラッチ解除機構２２の減速比を設定しておく。図３において、排紙ローラ９が原稿を排出している最中は原稿排出ギア３７の正回転（Ｂ方向と逆方向）がラッチ解除機構２２の入力ギア２３を回転させカムギア３０がＣ方向（図２のＡ方向と逆方向）に回転するが、カム部３１が破線で示す所定位置３１ａに達するとクランクロッド１６の端部１８に当接し前記一方向ばねクラッチ２６が滑りはじめる。従って排紙ローラ９がさらに回転してもそれ以上の回転駆動は従動ギア２５からカムギア３０には伝達されない。
【００２７】
上述したように、原稿積載装置を構成することで、原稿台に積載されたシート状原稿が全て搬送され、開いた状態の原稿トレイの下に配置された原稿排紙台に排紙され終わると駆動モータの逆回転により、クランクロッドが陽動し原稿補助トレイを自動的に初期位置に戻す。従って、原稿を取り出す操作が容易となり、また、原稿搬送路を原稿トレイが覆うため異物混入の防止の効果も得られる。
【００２８】
なお、上記実施例でラッチ解除機構２２の一方向ばねクラッチ２６の代わりに入力ギア２３と中間ギア２９の間に振り子ギアを設け、原稿排出ギア３７のＢ方向回転で振り子ギアと中間ギア２９の連結が解除し、原稿排出ギア３７の逆回転で振り子ギアと中間ギアが連結するように振り子ギアを配置しても同様にクランクロッド１６を陽動させることができる。
【図面の簡単な説明】
【００２９】
【図１】本発明の実施例のシート載置装置を示す斜視図である。
【図２】本発明の実施例のシート載置装置を示す背面図である。
【図３】本発明の実施例のシート載置装置を示す断面図である。
【図４】従来のシート載置装置を示す断面図である。
【符号の説明】
【００３０】
１  原稿台
４  原稿補助トレイ
９  排紙ローラ
１６  クランクロッド
２１  ラッチ部
２２  ラッチ解除機構
２６  一方向ばねクラッチ
３０  カムギア
【図１】
2007119173.tif 000003
【図２】
2007119173.tif 000004
【図３】
2007119173.tif 000005
【図４】
2007119173.tif 000006